(57)【要約】【課題】粗悪なＨＤＭＩケーブルの物理的欠陥に基づくデジタル信号通信のエラーレートを低減する。【解決手段】受信されたＴＭＤＳ信号の電圧振幅がＨＤＭＩケーブルによって減衰された場合は、送信時にＴＭＤＳ信号の電圧振幅を予め増大するように、また、受信されたＴＭＤＳ信号にＨＤＭＩケーブルによってスキューが生じている場合は、送信時にＴＭＤＳ信号に補正用スキューを予めつけるように、受信装置が送信装置を制御する。【選択図】図３
2008199175.tif 000002
【特許請求の範囲】
【請求項１】
デジタル信号を送信する送信装置と、
前記送信装置に接続されて前記デジタル信号を受信する受信装置と
を具備し、
前記送信装置は、
前記デジタル信号を送信するデジタル信号送信部と、
前記デジタル信号を調節する信号調節部と
を具備し、
前記受信装置は、
前記デジタル信号を受信するデジタル信号受信部と、
前記デジタル信号のエラーレートを検出するエラーレート検出部と、
前記エラーレートに基づくエラーレート情報を前記送信装置に向けて送信する受信側制御部と
を具備し、
前記送信装置は、
前記受信側制御部から前記エラーレート情報を受信して、前記エラーレート情報に基づいて前記信号調節部を制御する送信側制御部
を更に具備する
信号処理装置。
【請求項２】
請求項１記載の信号処理装置において、
前記信号調節部は、前記デジタル信号の電圧振幅を調節する
信号処理装置。
【請求項３】
請求項１または２に記載の信号処理装置において、
前記信号調節部は、前記デジタル信号の遅延を調節する
信号処理装置。
【請求項４】
請求項１〜３のいずれかに記載の信号処理装置において、
前記送信装置および前記受信装置は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格にそれぞれ準拠する
信号処理装置。
【請求項５】
請求項１〜３のいずれかに記載の信号処理装置において、
前記送信装置および前記受信装置は、ＵＤＩ（Ｕｎｉｆｉｅｄ  Ｄｉｓｐｌａｙ  Ｉｎｔｅｒｆａｃｅ）規格にそれぞれ準拠する
信号処理装置。
【請求項６】
請求項１〜５のいずれかに記載の信号処理装置において、
前記送信装置から前記受信装置に向けて送信されるデジタル信号は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号である
信号処理装置。
【請求項７】
請求項１〜６のいずれかに記載の信号処理装置において、
前記エラーレート情報は、ＣＥＣ（Ｃｏｎｓｕｍｅｒ  Ｅｌｅｃｔｒｏｎｉｃｓ  Ｃｏｎｔｒｏｌ）コマンドとして前記受信装置から前記送信装置に向けて送信される
信号処理装置。
【請求項８】
外部の受信装置に接続されて、
前記受信装置に向けてデジタル信号を送信するデジタル信号送信部と、
前記デジタル信号を調節する信号調節部と、
前記受信側制御部から前記エラーレート情報を受信して、前記エラーレート情報に基づいて前記信号調節部を制御する送信側制御部と
を具備する
送信装置。
【請求項９】
請求項８記載の送信装置において、
前記信号調節部は、前記デジタル信号の電圧振幅を調節する
送信装置。
【請求項１０】
請求項８または９に記載の送信装置において、
前記信号調節部は、前記デジタル信号の遅延を調節する
送信装置。
【請求項１１】
請求項８〜１０のいずれかに記載の送信装置は、
ＨＤＭＩ規格に準拠する
送信装置。
【請求項１２】
請求項８〜１０のいずれかに記載の送信装置は、
ＵＤＩ規格に準拠する
送信装置。
【請求項１３】
外部の送信装置に接続されて、
前記外部の送信装置から送信された前記デジタル信号を受信するデジタル信号受信部と、
前記デジタル信号のエラーレートを検出するエラーレート検出部と、
前記エラーレートに基づくエラーレート情報を前記送信装置に向けて送信する受信側制御部と
を具備する
受信装置。
【請求項１４】
請求項１３記載の受信装置において、
前記エラーレート情報は、前記送信装置が前記デジタル信号の電圧振幅を調節するための情報を具備する
受信装置。
【請求項１５】
請求項１３または１４に記載の受信装置において、
前記エラーレート情報は、前記送信装置が前記デジタル信号の遅延を調節するための情報を具備する
受信装置。
【請求項１６】
請求項１３〜１５のいずれかに記載の受信装置は、
ＨＤＭＩ規格に準拠する
受信装置。
【請求項１７】
請求項１３〜１５のいずれかに記載の受信装置は、
ＵＤＩ規格に準拠する
受信装置。
【発明の詳細な説明】
【技術分野】
【０００１】
本発明は、ＨＤＭＩ規格またはＵＤＩ規格に準拠したデジタル信号伝送の信号処理装置に関し、特に、エラーレートを低減するデジタル信号処理装置に係る発明である。
【背景技術】
【０００２】
周知のように、デジタル家電の分野ではデジタル形式の信号を伝送するためのデジタルインターフェース規格としてＨＤＭＩ（ＨＩＧＨ−Ｄｅｆｉｎｉｔｉｏｎ  Ｍｕｌｔｉｍｅｄｉａ  Ｉｎｔｅｒｆａｃｅ）規格を採用した民生機器が急速に普及してきており、例えば送信装置ではハードディスクレコーダなど、受信装置ではデジタルテレビなどの電子装置が代表的である。また、ＨＤＭＩ規格をＰＣ（Ｐｅｒｓｏｎａｌ  Ｃｏｍｐｕｔｅｒ）向けに最適化したＵＤＩ（Ｕｎｉｆｉｅｄ  Ｄｉｓｐｌａｙ  Ｉｎｔｅｒｆａｃｅ）規格も策定され、広く一般に公開されている。
【０００３】
非特許文献１に記述されているように、ＨＤＭＩ規格では３対のデータ用差動信号と１対のクロック用差動信号からなるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌ）信号でデジタル映像信号を伝送し、そのクロック伝送速度は最大３４０ＭＨｚ、伝送帯域は最大１０．２Ｇｂｐｓまで規定されている。またこのデジタル映像信号のブランキング期間中にはデータ・アイランド・ピリオドと呼ばれる期間が定められ、この期間にデジタル音声信号等を多重化して伝送を行うことが可能である。このデータ・アイランド・ピリオドのデータに受信装置において、伝送誤りを訂正するために用いる誤り訂正符号を送信装置にて付加することが可能である。
【０００４】
また、ＨＤＭＩ規格では一方の電子装置から他方の電子装置をリモートで操作できるプロトコルであるＣＥＣ（Ｃｏｎｓｕｍｅｒ  Ｅｌｅｃｔｒｏｎｉｃ  Ｃｏｎｔｒｏｌ）についても規格化され、ＨＤＭＩの機能の一つとして搭載することが可能になっている。更に、一方の電子装置から他方の電子装置にデジタル信号を伝送する場合、送信装置が受信装置からＥＤＩＤ（Ｅｘｔｅｎｄｅｄ  Ｄｉｓｐｌａｙ  ＩＤｅｎｔｉｆｉｃａｔｉｏｎ）データを取得することにより、受信装置が有するディスプレイの受信仕様に合わせた形態で信号を出力する事ができるようになっている。
上述のようにＨＤＭＩ規格では送信装置と受信装置とを接続するＨＤＭＩケーブル上で非常に高い周波数で大容量のデータが伝送される。この周波数はこれまでの民生機器における他のデジタルインターフェース規格における周波数と比べて約１０倍も高いものである。それゆえ、これまでと比べて、信号品質の劣化を防止するためにケーブルに対する要求が非常に厳しくなっている。そのため、ＨＤＭＩケーブルは金属部分に金メッキを用いたり、ケーブル内にイコライザを搭載したりする必要が生じてきており、これまでの民生機器における他のデジタルインターフェース規格で使用されるケーブルと比べて高品位のものが必要となり、非常に高価なものになってきている。しかしながら、近年では、公式な認証テストを受けていない粗悪なＨＤＭＩケーブルも市場に出回っており、粗悪なＨＤＭＩケーブルを用いて伝送された映像・音声信号はエラーを起こす可能性が高い。
【０００５】
粗悪なＨＤＭＩケーブルで伝送された映像・音声信号がエラーを起こす要因としては以下のような場合が挙げられる。一つはＨＤＭＩケーブルのコストダウンのため金属部や銅線に安価な素材を用いて製造されたために、伝導する信号の電圧振幅がＨＤＭＩ規格で定められた値よりも減衰してしまい、受信装置で信号を受信する際に振幅が不足し、データを取りこぼしてしまう場合がある。またはケーブル製作時のコストダウンの結果、ケーブル内に複数本あるそれぞれの信号線の長さが不揃いになっており、その信号線を通った信号にスキューがついてしまい、ＨＤＭＩの３対の信号線と１本のクロック線のそれぞれの同期関係がＨＤＭＩ規格で定められる以上にずれてしまい、受信装置が正常なタイミングでデータを受け取れない場合等がある。
【０００６】
このような粗悪なケーブルを購入し、それを用いて電子装置を接続したユーザは、粗悪なＨＤＭＩケーブルのもたらす上記のような要因が元で、例えばデジタルテレビなどの受信装置において正常な映像や音声を得ることができないという不利益を被る問題が起こっている。この不利益を被ったユーザはこの問題を、デジタルテレビなどの装置の不具合によるものであると誤認識してしまう可能性がある。つまり、粗悪なＨＤＭＩケーブルは装置の製造業者にとっても不利益をもたらしてしまう。それゆえ民生機器において、送信装置の出力する信号品質の改善がこれまで以上に問われるようになっている。
【０００７】
上記に関連して、特許文献１（特開２００３−２５９２４１）は、映像処理装置及びテレビジョン受像機に係る発明を開示している。
特許文献１では上記問題を解決するために以下のような構成が記載されている。図１に示されるように、受信装置２００で受信したデジタル映像信号は音声分離回路２０２を介して切換制御回路２０８に供給される。そのデータのエラーレートを検出し、切換制御回路２０８は、検出エラーレートが所定の閾値よりも大きい場合は低い解像度のフォーマット情報を保持する第２のＥＤＩＤ回路２１２を選択するようスイッチ２１３を制御し、選択されたフォーマット情報を、インターフェース４０３を介して送信装置１００に送信する。送信装置１００は、そのフォーマット情報に従い、それまでの映像信号よりも走査線数及び／または水平解像度が少ないデジタル映像信号を発生する。これによりケーブルを通るデータの伝送レートを下げることができ、その結果としてエラーレートの低減を図っている。さらにＯＳＤ表示にてノイズの原因が装置自身の問題ではなく、ケーブルの品質の問題であることを知らせる機能を有している。
【０００８】
【特許文献１】特開２００３−２５９２４１
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３
【発明の開示】
【発明が解決しようとする課題】
【０００９】
しかしながら、上述の特許文献１に記載の発明ではエラーレートの低減のために送信装置は映像の解像度を下げてデジタル映像信号を伝送してしまうため、ユーザは受信装置において本来所望されるべき解像度で映像を見ることができないという欠点があり、ユーザが粗悪なＨＤＭＩケーブルを使用した場合、画質劣化を免れることができないという問題がある。
本発明の目的は、粗悪なＨＤＭＩ用ケーブルを介してＨＤＭＩを搭載した電子装置同士が接続されたときに、ケーブルでの信号品質の劣化が原因で受信装置にてデータのエラーレートが大きくなり、正常な映像・音声をユーザが得られない場合、映像の解像度を下げることなくエラーレートを低減し、ユーザに対して所望の高品位な映像を提供することである。
【課題を解決するための手段】
【００１０】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【００１１】
本発明の信号処理装置は、デジタル信号を送信する送信装置（１）と、送信装置に接続されてデジタル信号を受信する受信装置（２）とを具備する。ここで、送信装置（１）は、デジタル信号を送信するデジタル信号送信部（１７）と、デジタル信号を調節する信号調節部（１８、８１）とを具備する。受信装置（２）は、前記デジタル信号を受信するデジタル信号受信部（２１）と、デジタル信号のエラーレートを検出するエラーレート検出部（２６）と、エラーレートに基づくエラーレート情報を前記送信装置（１）に向けて送信する受信側制御部（２７）とを具備する。送信装置（１）は、受信側制御部（２７）からエラーレート情報を受信して、エラーレート情報に基づいて信号調節部（１８、８１）を制御する送信側制御部（１９）を更に具備する。
【００１２】
本発明の送信装置（１）は、外部の受信装置（２）に接続されて、外部の受信装置（２）に向けてデジタル信号を送信するデジタル信号送信部（１７）と、デジタル信号を調節する信号調節部（１８、８１）と、受信側制御部（２７）からエラーレート情報を受信して、エラーレート情報に基づいて信号調節部（１８、８１）を制御する送信側制御部（１９）とを具備する。
【００１３】
本発明の受信装置（２）は、外部の送信装置（１）に接続されて、外部の送信装置（１）から送信されたデジタル信号を受信するデジタル信号受信部（２１）と、デジタル信号のエラーレートを検出するエラーレート検出部（２６）と、前記エラーレートに基づくエラーレート情報を送信装置（１）に向けて送信する受信側制御部（２７）とを具備する。
【発明の効果】
【００１４】
本発明の信号処理装置は、エラーレートを低減するために映像信号の解像度を落とさずに、所望の高品質な映像を保つことができる。
本発明の信号処理装置は、受信装置におけるエラーレートを低減させることができる。
本発明の信号処理装置は、エラーの原因が電圧減衰であってもスキューであっても、エラーレートを低減させることができる。
【発明を実施するための最良の形態】
【００１５】
粗悪なＨＤＭＩケーブルで伝送された映像・音声信号がエラーを起こし、正常に映像・音声を再生できない要因としては、ＨＤＭＩケーブルを通る信号の電圧振幅が減衰してしまい、受信装置で信号を受信する際に十分な電圧で振幅していないため、信号を取りこぼしてしまう場合と、ＴＭＤＳ信号線の距離がばらばらになっており信号にスキューがついてしまい、受信装置で正常なタイミングで信号を取れないという場合がある。
第１の実施形態では上記の電圧の振幅の減衰による信号のエラーを低減させることができ、第２の実施形態では上記のスキューによる信号のエラーを低減させることができる。
【００１６】
つまり第１、第２の実施形態はそれぞれ受信装置における信号のエラーを映像信号の解像度を落とすことなく減少させるという同一の課題を解決するための２つの異なる手段を提供している。もちろん、一つの送信装置に両方の実施形態を共に組み合わせて実施しても良い。
【００１７】
添付図面を参照して、本発明による信号処理装置を実施するための最良の形態を以下に説明する。
【００１８】
（第１の実施形態）
図２は本実施形態における装置の構成図である。
図３は本実施形態における各装置内のブロック図である。以下、本実施形態の構成について図面を参照しつつ説明する。
【００１９】
本実施形態では送信装置１となるＨＤＤ（Ｈａｒｄ  Ｄｉｓｃ  Ｄｒｉｖｅ）レコーダがＨＤＭＩケーブル３で受信装置２のデジタルテレビと接続されている。送信装置１、受信装置２はそれぞれＤＶＤプレーヤやオーディオアンプなど他の装置であっても良い。
【００２０】
送信装置１は、ＨＤＤ部１１と、ＭＰＥＧデコード部１２と、送信側映像信号処理部１３と、送信側音声信号処理部１４と、誤り訂正符号化部１５と、映像・音声多重化部１６と、ＴＭＤＳ送信部１７と、電圧振幅調節部１８と、送信側制御部１９とを具備している。
受信装置２は、ＴＭＤＳ受信部２１と、映像・音声分離化部２２と、受信側映像信号処理部２３と、誤り訂正部２４と、受信側音声信号処理部２５と、エラーレート検出部２６と、受信側制御部２７と、ディスプレイ２８と、スピーカー２９とを具備している。
ＨＤＭＩケーブル３は、ＴＭＤＳ信号線群３２と、ＣＥＣ信号線３３とを具備している。
【００２１】
ＨＤＤ部１１は、ＭＰＥＧデコード部１２に接続されている。ＭＰＥＧデコード部１２は、送信側映像信号処理部１３および送信側音声信号処理部１４に接続されている。送信側音声信号処理部１４は、誤り訂正符号化部１５に接続されている。送信側映像信号処理部１３および誤り訂正符号化部１５は、映像・音声多重化部１６に接続されている。映像・音声多重化部１６は、ＴＭＤＳ送信部１７に接続されている。ＴＭＤＳ送信部１７は、電圧調節部１８に接続されている。電圧調節部１８は、ＴＭＤＳ信号線群３２を介してＴＭＤＳ受信部２１に接続されている。ＴＭＤＳ受信部２１は、映像・音声分離部２２に接続されている。映像・音声分離部２２は、受信側映像信号処理部２３および誤り訂正部２４に接続されている。受信側映像信号処理部２３は、ディスプレイ２８に接続されている。誤り訂正部２４は、受信側音声信号処理部２５およびエラーレート検出部２６に接続されている。受信側音声信号処理部２５は、スピーカー２９に接続されている。エラーレート検出部２６は、受信側制御部２７に接続されている。受信側制御部２７は、ＣＥＣ信号線３３を介して送信側制御部１９に接続されている。送信側制御部１９は、電圧調節部１８に接続されている。
【００２２】
送信装置１のＨＤＤレコーダにおいて、ＨＤＤ部１１で保存されているＭＰＥＧ２−ＴＳ（Ｍｏｖｉｎｇ  Ｐｉｃｔｕｒｅ  Ｅｘｐｅｒｔｓ  Ｇｒｏｕｐ  Ｐｈａｓｅ  ２−Ｔｒａｎｓｐｏｒｔ  Ｓｔｒｅａｍ）信号をＭＰＥＧデコード部１２でデジタル映像信号とデジタル音声信号に変換し、送信側映像信号処理部１３と送信側音声信号処理部１４それぞれ入力される。送信側映像信号処理部１３では映像信号の解像度を変更したり、送信側音声信号処理部１４では音声信号にヘッダをつけたりしてＨＤＭＩ規格に準拠した信号形式に処理される。送信側音声処理部１４で処理された音声信号は誤り訂正符号化部１５で符号化されて、映像信号と共に映像・音声多重化部１６に入力され、映像信号のブランキング期間中に音声信号が多重化される。この信号はＴＭＤＳ送信部１７でＴＭＤＳ信号に変換され、電圧調節部１８を通り、ＨＤＭＩケーブル３内のＴＭＤＳ信号線群３２へ出力される。電圧調節部１８は送信側制御部１９から制御を受け動作する。
【００２３】
受信装置２のデジタルテレビはＴＭＤＳ信号線群３２からＴＭＤＳ信号を受信し、ＴＭＤＳ受信部２１でＴＭＤＳ信号を復号し映像・音声分離部２２で映像信号と音声信号に分離する。この際音声信号にエラーが起きていても、軽微なエラーであればエラー箇所を検出し、訂正することができる。誤り訂正部２４で検出されたエラーはエラーレート検出部２６で音声信号におけるエラー信号の割合を算出することができる。算出されたエラーレートは受信側制御部２７に送られる。受信側制御部２７はＨＤＭＩケーブル３内のＣＥＣ信号線３３で送信装置１内の制御部１９に接続されている。ＣＥＣ信号線ではお互いの装置をコントロールするための信号がやり取りされており、そのコマンドには例えば接続装置の電源を入れたり、接続装置に再生をさせたりするようなものがある。映像・音声分離化部２２、誤り訂正部２４から出力された映像信号と音声信号はそれぞれ受信側映像信号処理部２３と受信側音声信号処理部２５でディスプレイ２８やスピーカー２９での出力形式に対応するように信号フォーマット変換やアナログ変換などを施され、その映像がディスプレイ２８で表示され、音声がスピーカー２９で出力される。
【００２４】
図４は、本発明の第１実施形態における動作を説明するためのフローチャートである。図５は、本発明の第１実施形態における動作を説明するためのＨＤＭＩケーブルの送信装置側端での信号波形の模式図である。以下、本実施形態の動作について図面２〜５を参照しつつ説明する。
【００２５】
図４中の点線６１より左側の領域６２には送信装置１におけるステップが、点線６１より右側の領域６３には受信装置２におけるステップが、それぞれ記載されている。送信装置１側のステップＳ４２にてＴＭＤＳ送信部１７から出力されたＴＭＤＳ信号は電圧振幅調節部１８で先ず、消費電力の節約のために最小電圧にて出力される。この信号を受信装置２側のステップＳ５２にて受信する。ステップＳ５３で、誤り訂正部２４とエラーレート検出部２６を用いエラーレートを検出する。ステップＳ５４では受信側制御部２７にてステップＳ５３で得られたエラーレートがある決まった閾値以上かどうかを判断する。もし閾値以下ならばもう一度ステップＳ５３に戻りエラーレート検出を繰り返す。もし、閾値以上ならば、ステップＳ５５にて受信側制御部２７は、ある決まった所定回以上エラーレート情報を送信したか判定する。このステップＳ５５は必要以上にエラーレート情報を送信するような、無駄な動作を防止するために設けられている。もし所定回以上エラーレート情報を送信していたら、ステップＳ５７にてＯＳＤ表示等でユーザにＨＤＭＩケーブルが原因で映像や音声が正常に再生できない事を知らせ、ＨＤＭＩケーブルの交換を促す。もし所定回以上エラーレート情報を送信していないならば、ステップＳ５６にて送信装置１の送信側制御部１９に向けて受信側制御部２７からＣＥＣ信号線３３を通って、ＣＥＣで規定されたＶＳＣ（Ｖｅｎｄｏｒ  Ｓｐｅｃｉｆｉｃ  Ｃｏｍｍａｎｄｓ）を用い、エラーレート情報を送信する。送信装置１の送信側制御部１９はこのコマンドの意味を理解できるようにプログラムされていなければならない。
【００２６】
ステップＳ４３ではこの送信側制御部１９でエラーレート情報を受信することで電圧振幅が不足していると判断し、ステップＳ４４にてもし現在の電圧振幅が最大でないと判断されたならば、送信側制御部１９は電圧振幅調節部１８に一段階電圧を増加させて出力するように命令を送る。ステップＳ４５ではこの命令を受けた電圧振幅調節部１８は一段階電圧を増加させて出力する。この際のＨＤＭＩケーブルの送信装置１側端における信号波形の一部が図５に示されている。図５は、ある特定の一対の信号対の出力電圧と時間との関係をグラフ化したものである。他の信号対に関しても同様の電圧と時間の関係で信号が出力される。この差動信号のバイアス電圧をＶ０とする。この図ではある時刻７１の指し示すタイミングで電圧振幅を増加させている。ある時刻７１以前の振幅電圧は７４と７６とで示す±Ｖで、ある時刻７１以降の振幅電圧は７３と７７とで示される±Ｖ’である。それぞれの電圧の絶対値の差７２が増加した分の電圧振幅である。すなわちもしＨＤＭＩケーブル３内のＴＭＤＳ信号線群３２で減衰する電圧が７２に示すＶ’−Ｖ分の電圧より小さいならば、受信装置２におけるエラーレートを低減させ、ある特定の閾値より下回る可能性が高い。但し、これはエラーが電圧振幅の減衰によって起こっていると仮定した場合である。エラーレートがある所定の閾値を下回るとステップＳ５６でのエラーレート情報の送信を行なわなくなるので、送信装置ではこれ以上ステップＳ４５で電圧振幅を増加させることは無く、電圧振幅調節部１８は現状の電圧振幅で送信し続ける。一方もしＨＤＭＩケーブル３内のＴＭＤＳ信号線群３２で減衰する電圧が７２に示されるＶ’−Ｖ分の電圧よりまだ十分大きいならば、エラーレートは閾値よりも依然として大きいままの可能性がある。この場合ステップＳ５６で再びエラーレート情報の送信が行なわれるので、送信装置ではステップＳ４３から４５までの手順はエラーレートがある所定の閾値を下回る、もしくはステップＳ４４で電圧振幅が最大であると判断されるまで繰り返される。ステップＳ４４で電圧振幅が最大であると判断されると電圧振幅調節部１８はステップＳ４６にて最大電圧振幅で送信し続ける。
【００２７】
送信装置と受信装置とが粗悪なＨＤＭＩケーブルで接続されている際にＨＤＭＩケーブル中で伝送される映像・音声信号の電圧振幅がケーブルの品質が低いために減衰してしまい、信号のエラーが引き起こされ、受信装置が正常にデータを受け取ることができず、受信された映像や音声を正常に再生することができない場合、公知技術は送信装置の送信する映像信号の解像度を落とすことで信号のエラーを減らしている。
【００２８】
本実施形態は、上記の状況において送信装置のＨＤＭＩから出力するＴＭＤＳ信号の電圧振幅を増加し、ＨＤＭＩケーブルでの電圧振幅の減衰による信号のエラーを減らすことで、解像度を落とすことなく映像や音声の乱れを減らすことができる。
【００２９】
上記効果を得るために本実施形態は受信装置において、ＨＤＭＩで伝送された信号のエラーレートを演算する手段と、エラーレートがある所定の閾値を超えると送信装置にエラーレート情報を通知するようなＣＥＣコマンドを所定回数だけ送る手段とを備えている。
【００３０】
また送信装置は、受信装置からエラーレートがある所定の閾値を超えたときにエラーレート情報を通知するＣＥＣコマンドを受け取る手段と、そのエラーレート情報を元に受信装置に向けて送信しているＴＭＤＳ信号の電圧振幅を値調節する手段とを備えている。
【００３１】
受信装置はエラーレートがある所定の閾値を超えると、エラーレート情報を通知するようなＣＥＣコマンドを送信装置に送信する。送信装置は受け取ったエラーレート情報を元に、送信装置内の振幅調節手段でＴＭＤＳ信号の電圧振幅を大きくする。
【００３２】
この際、送信装置は通常より高い電圧振幅でＨＤＭＩケーブル内のＴＭＤＳ信号線群にＴＭＤＳ信号を出力するため、ＴＭＤＳ信号は粗悪なＨＤＭＩケーブルの悪影響によって引き起こされる電圧振幅の減衰を予め補完した電圧振幅で伝送される。それゆえ、本実施形態は受信装置が受信する信号のエラーレートを低減することができ、映像の解像度を落とすことなく映像や音声の乱れを改善することができる。
【００３３】
（第２の実施形態）
図７は本発明の第２の実施形態のブロック図を示す。装置の構成は図２に記載した場合と同一である。図２、図３と同一の部分は同じ番号を附してその説明は省略する。ここでは第１の実施形態の電圧振幅調節部１８に代わり、信号遅延部８１を設けることで受信装置２が受信するＴＭＤＳ信号のエラーレートを低減することを特徴としている。
【００３４】
図６は、ＨＤＭＩケーブル３内を通る各信号線を表した図である。図６に示されるように、ＴＭＤＳ信号線群３２は３２ａ〜３２ｈまでの８本のＴＭＤＳ信号線と４本のＴＭＤＳシールド線を具備する。さらに３２ａ〜３２ｈまでの８本のＴＭＤＳ信号線は３２ａと３２ｂ、３２ｃと３２ｄ、３２ｅと３２ｆ、３２ｇと３２ｈという４対の差動の信号線対により構成されている。本実施形態では図７の信号遅延部８１は例えば上記の４対のペア毎の信号伝送にかかる時間にある一定の遅延時間を与えることができる手段である。つまり本実施例の信号遅延部８１は４対のペア間の信号にそれぞれスキューをつけることができ、ペアを構成するそれぞれ２本の信号線同士は同一の遅延時間を持って伝送する。本実施形態では示されないが、信号遅延部８１は他にも４対のペアになっているそれぞれ２本の信号線に対してそれぞれ遅延時間をつけるような手段であっても良い。つまり信号遅延部８１はペア内の信号にそれぞれスキューをつけるような手段であっても良い。更に信号遅延部８１が与える遅延時間は段階的に設定可能であっても良い。
【００３５】
図８は本発明の第２の実施形態における動作を説明するためのフローチャートである。図９は本発明の第２の実施形態における動作を説明するためのＨＤＭＩケーブルの送信装置側端での信号波形の模式図である。以下、本実施例の動作について図面６〜９を参照しつつ説明する。図２〜５と同一の部分は同じ番号を附してその説明は省略する。
【００３６】
図８中の点線６４より左側の領域６５には送信装置１におけるステップが、６４より右側の領域６６には受信装置２におけるステップがそれぞれ記載されている。領域６６の受信装置２における各ステップについては第１の実施形態と同一の動作のため、その説明は省略する。送信装置１は先ずステップＳ９１にて信号遅延部８１での遅延なしでＴＭＤＳ信号を送信する。受信装置のステップＳ５６にて受信側制御部２７からエラーレート情報がＣＥＣ信号線３３を通じて送信された場合は、送信装置はステップＳ４３にて送信側制御部１９でエラーレート情報を受信し、ＴＭＤＳ信号線群にスキューが生じていると判断する。次にステップＳ９５にてもし現在、信号遅延部８１にて４対の信号対にそれぞれある一定の遅延時間を与える組み合わせの全１６通りが試されていないと判定されたならば、ステップＳ９２にて制御部１９は信号遅延部８１に全１６通りのうちのまだ試されていないある１通りの場合の遅延時間を与えて送信するように命令を送る。なお、ここで全１６通りの組み合わせとは、４対の信号対のそれぞれについてスキューをつけるか否かを意味するが、全ての信号対にスキューをつけることはどの信号対にもスキューをつけないことと同等であるので、厳密には全１５通りとも言える。この命令を受けた信号遅延部８１はこの命令で指定された信号対に関してある一定の遅延時間を与え送信する。図９は例えばこの送信側制御部１９から信号遅延部８１への命令がチャンネル２の信号対３２ａと３２ｂに対してのみ遅延時間を与える組み合わせを指定しているときの信号遅延部８１の出力するＨＤＭＩケーブルの送信装置側端における信号波形の時間と電圧の関係を示している。この図では例えば時刻３４の示すタイミングでチャンネル２の信号対３２ａと３２ｂの信号のみ遅延時間が付けられたとする。時刻３５でのチャンネル２以外の信号対３２ｃ〜３２ｈの信号と時間３６でのチャンネル２での信号対３２ａと３２ｂの信号が対応している。つまりＴＭＤＳ信号線群３２内のチャンネル２の信号線対３２ａと３２ｂのみが他のＴＭＤＳ信号線対と比べて距離が長く、チャンネル２の信号が他の信号対の信号に対してスキューがついていたとすると、その距離と伝送速度との関係（与える遅延時間＝信号対のケーブル長の距離の差／伝送速度）が一致すれば、スキューが解消され、受信装置２で受信するＴＭＤＳ信号のエラーレートを低減させることができる。但し、これは信号のエラーがＨＤＭＩケーブル３内のＴＭＤＳ信号線対の長さの違いによるスキューのみに起因していると仮定した場合である。
【００３７】
ステップＳ９２にて全１６通りのうち現在まで試していない組み合わせで遅延をつけるとステップＳ９３に進む。もしステップＳ９３で受信装置２からエラーレート情報が送られてこないならば、信号線対間の信号のスキューは解消されたと見なして、ステップＳ９６にて信号遅延部８１はエラーレート情報が受信されなくなった遅延の組み合わせで送信を続ける。一方ステップＳ９２でもしエラーレート情報が受信されたならば、スキューのついている信号対の組み合わせが違うと判断し、ステップＳ９４にて制御部１９で現在の遅延の組み合わせにおけるエラーレート情報を記録し、ステップＳ９５に進む。このステップＳ９５からステップＳ９４を繰り返し、もしステップＳ９５にて全１６通りの組み合わせで遅延をつけたと判定されたら、ステップＳ９７にて制御部１９はこれまでステップＳ９４で記録された全１６通りの遅延におけるエラーレートの値が最小になった組み合わせを探し、そのエラーレートの値が最小になる信号線対の遅延の組み合わせで送信するように信号遅延部８１に命令する。
【００３８】
送信装置と受信装置を粗悪なＨＤＭＩケーブルで接続した際にＨＤＭＩケーブル中のＴＭＤＳ信号線対同士の長さの違いにより、信号にスキューがついてしまい受信装置で正しく受信することができず信号のエラーを引き起こし受信した映像や音声を正常に再生できない場合、公知技術では送信装置の送信する映像信号の解像度を落とすことで信号のエラーを減らしている。
【００３９】
本実施形態によれば上記の状況において、４対のＴＭＤＳ信号線対に対しある一定の遅延時間をあらゆる組み合わせで付加し、受信装置のエラーレートがある所定の閾値を超えなくなる信号線対の遅延の組み合わせ、もしくはエラーレートの値が最も小さくなる信号線対の遅延の組み合わせを探索し、これを満たす信号線対の組み合わせで送信することでＴＭＤＳ信号線対同士の長さの違いにより生じる信号のスキューを低減することができ、解像度を落とすことなく、映像や音声の乱れを減らすことができる。
【００４０】
上記効果を得るために本実施形態は受信装置において、ＨＤＭＩで伝送された信号のエラーレートを演算する手段と、エラーレートがある所定の閾値を超えると、送信装置にエラーレート情報を通知するようなＣＥＣコマンドを所定回数だけ送る手段とを備えている。
【００４１】
また送信装置において受信装置からエラーレートがある所定の閾値を超えたときにエラーレート情報を通知するＣＥＣコマンドを受けつける手段と、そのエラーレート情報を元に受信装置に向けて送信しているＴＭＤＳ信号対に遅延をつける手段とを備えている。
【００４２】
受信装置はエラーレートがある所定の閾値を超えると、エラーレート情報を送信装置に通知するようなＣＥＣコマンドを送信する。送信装置は受け取ったエラーレート情報を元に、送信装置内の信号遅延手段で４対のＴＭＤＳ信号線対にあらゆる組み合わせでそれぞれ遅延をつける。
【００４３】
この際、送信装置は受信装置のエラーレートがある所定の閾値を超えなくなる信号線対の遅延の組み合わせ、もしくはエラーレートの値が最も小さくなる信号線対の遅延の組み合わせで遅延を付けて送信するため、ＴＭＤＳ信号は粗悪なＨＤＭＩケーブルの悪影響によって引き起こされるＴＭＤＳ信号線対の長さの違いによる信号のスキューを予め補った時間遅延をつけて伝送される。それゆえ受信装置が受信する信号のエラーレートを低減することができ、映像の解像度を落とすことなく映像や音声の乱れを改善することができる。
【図面の簡単な説明】
【００４４】
【図１】図１は特許文献１に記載の従来技術のブロック図である。
【図２】図２は本発明の第１または第２の実施形態による装置の構成図である。
【図３】図３は本発明の第１の実施形態による装置内のブロック図である。
【図４】図４は本発明の第１の実施形態による動作を説明するフローチャートである。
【図５】図５は本発明の第１の実施形態による動作を説明するための、ＨＤＭＩケーブルの送信装置側端での信号波形の模式図である。
【図６】図６はＨＤＭＩケーブル内の信号線の表である。
【図７】図７は本発明の第２の実施形態による装置内のブロック図である。
【図８】図８は本発明の第２の実施形態による動作を説明するフローチャートである。
【図９】図９は本発明の第２の実施形態による動作を説明するための、ＨＤＭＩケーブルの送信装置側端での信号波形の模式図である。
【符号の説明】
【００４５】
１      送信装置
２      受信装置
３      ＨＤＭＩケーブル
１１    ＨＤＤ部
１２    ＭＰＥＧデコード部
１３    送信側映像信号処理部
１４    送信側音声信号処理部
１５    誤り訂正符号化部
１６    映像・音声多重化部
１７    ＴＭＤＳ送信部
１８    電圧調節部
１９    送信側制御部
２１    ＴＭＤＳ受信部
２２    映像・音声分離部
２３    受信側映像信号処理部
２４    誤り訂正部
２５    受信側音声信号処理部
２６    エラーレート検出部
２７    受信側制御部
２８    ディスプレイ
２９    スピーカー
３２    ＴＭＤＳ信号線群
３２ａ  ＴＭＤＳ信号線
３２ｂ  ＴＭＤＳ信号線
３２ｃ  ＴＭＤＳ信号線
３２ｄ  ＴＭＤＳ信号線
３２ｅ  ＴＭＤＳ信号線
３２ｆ  ＴＭＤＳ信号線
３２ｇ  ＴＭＤＳ信号線
３２ｈ  ＴＭＤＳ信号線
３３    ＣＥＣ信号線
３４    遅延時間付与時刻
３５    遅延時間開始時刻
３６    遅延時間
８１    信号遅延部
１００  送信装置
１０１  映像信号源
１０２  音声信号源
１０３  音声重畳部
１０４  送信部
１０６  スキャンコンバータ
１０７  解像度制御部
２００  受信装置
２０１  受信部
２０２  音声分離部
２０４  表示部
２０５  Ｄ／Ａ付音声処理部
２０７  スピーカ
２０８  切換制御回路
２０９  ＯＳＤ部
２１１  第１のＥＤＩＤ回路
２１２  第２のＥＤＩＤ回路
２１３  スイッチ
２１４  スイッチ
２１５  スキャンコンバータ
４０３  インターフェース
【図１】
2008199175.tif 000003
【図２】
2008199175.tif 000004
【図３】
2008199175.tif 000005
【図４】
2008199175.tif 000006
【図５】
2008199175.tif 000007
【図６】
2008199175.tif 000008
【図７】
2008199175.tif 000009
【図８】
2008199175.tif 000010
【図９】
2008199175.tif 000011